(57)【要約】【課題】係止ピンの端部を外部に露出させず、外観性を向上させるとともに、係止ピンの脱落を防止して耐久性を向上させることができるバンドを提供することを目的とする。【解決手段】内駒１の非円形状の貫通孔３に平板状の連結軸７を挿入し、平板状の連結軸７の両側の小孔７ａ部分を、両側に配されている外駒２の非円形状の受け孔５に挿入した後、外駒２の露出側面に開口している長孔９から、係止ピン８を外駒２内へ嵌入して、各係止ピン８の端部を平板状の連結軸７両端の小孔７ａに嵌着する。組立完了状態において、それぞれ非円形状をなす内駒１の貫通孔３と外駒２の受け孔５と連結軸７とは互いに回動できないため、内駒１と外駒２は回動しない一体的な駒の形態となる。係止ピン８の端部は隣り合う外駒２の対向側部に固定的に位置することになり、バンド全体を上下いずれの方向へ曲げても、係止ピン８の端部は外部に露出せず、外部から見えない。【選択図】図１
2015029888.tif 000002
【特許請求の範囲】
【請求項１】
内部に一対の貫通孔が設けられた内駒と、内部に一対の受け孔が設けられ、かつ前記内駒の両側にそれぞれ配置される外駒と、前記内駒の前記貫通孔を通して前記外駒の前記受け孔に挿入される連結軸とを備え、前記内駒の前記各貫通孔に、隣接する前記外駒の前記受け孔の一方をそれぞれ合わせた状態で前記連結軸を挿入することにより、複数の前記内駒と複数の前記外駒とを連結してなるバンドにおいて、
前記貫通孔の一方とこの貫通孔に対応する前記受け孔とを非円形状に形成し、これらの非円形状の貫通孔と受け孔とに挿入される前記連結軸を断面非円形状に形成し、
前記各外駒における他の外駒との対向側部に、開口が水平方向を向き、かつ前記非円形状の受け孔に達する長孔を設け、この長孔に係止ピンを嵌入して、前記断面非円形状の連結軸を係止したことを特徴とするバンド。
【請求項２】
前記貫通孔の他方とこの貫通孔に対応する前記受け孔とを円形状に形成し、これらの円形状の貫通孔と受け孔とに挿入される前記連結軸を断面円形状に形成したことを特徴とする請求項１記載のバンド。
【請求項３】
前記断面非円形状の連結軸を複数部品で１本として形成したことを特徴とする請求項１記載のバンド。
【発明の詳細な説明】
【技術分野】
【０００１】  本発明は、時計バンドなどに適用され、内駒および外駒を連結軸により複数個連結した構成のバンドに関するものである。
【背景技術】
【０００２】  時計バンドにおいて、上側が外装面であり、下側が装着者の腕に接する面となる内駒及び外駒からなる構成のものが多い。そのバンドの構成としては、内駒に設けられた貫通孔に、内駒の外両側に配される外駒に設けられた孔を合わせ、貫通孔と孔とに連結軸を挿入することにより、複数の内駒と複数の外駒とを順次連結してなるものである。【０００３】  前記連結軸の取り付けとしては、内駒と外駒とを貫通する孔に連結軸を外部から圧入する構成もの、あるいは連結軸自体がネジ構造になっているものなどがある。しかし、この場合、連結軸のネジ端部が露出し、その端面が外部から見えることになる。
このため、外観を良くするため連結軸の端部，端面をバンドの側面から露出しないように工夫された各種バンドの構成が提案され、実施されている。【０００４】  本件出願人は、内駒の内部に一対の円形状の貫通孔を設け、内駒の両側に配置される外駒の内部に一対の非円形状の受け孔を設け、内駒の貫通孔に、隣接する外駒の受け孔をそれぞれ合わせた状態で板状の連結軸を挿入することにより、複数の内駒と外駒とを連結し、さらに外駒と他の外駒との対向側部に、開口が水平方向よりも下方向を向き、かつ非円形状の受け孔に達する長孔を設け、この長孔に係止ピンを嵌入して、連結軸を係止するようにした構造のバンドを提案した（特許文献１）。
【先行技術文献】
【特許文献】
【０００５】
【特許文献１】特開２０１０−１５８５００号公報
【発明の概要】
【発明が解決しようとする課題】
【０００６】  特許文献１のバンドでは、係止ピンを嵌入する外駒における長孔の開口位置を考慮したことにより、位置形態では連結軸の端面を駒の外周から見えないようにすることができる。【０００７】  特許文献１に記載のバンドでは、隣り合う外駒の側面同士を当接させることにより、外駒の下方への回動を阻止し外駒の回動規制を行うことにより、バンドを腕などに装着する普通の使用法では外駒が下方へ過度に回動して、係止ピンが挿入されている長孔の開口がバンド上側に現われるようなことがなく、係止ピンの端面が外装面側から見えることはない。【０００８】  しかしながら、特許文献１に記載のバンドにおいて、特許文献１の図４に示すように、隣り合う外駒を上方へ回動した状態では、係止ピンが挿入されている長孔の開口がバンド下側に露出してしまい、外装面側から見える。しかも、この状態では係止ピンが開口から脱落することも危惧される。【０００９】  そこで、本発明は、簡単な構成により、係止ピンの端部を外部に露出させず、外観性を向上させるとともに、係止ピンの脱落を防止して耐久性を向上させることができるバンドを提供することを目的とする。
【課題を解決するための手段】
【００１０】  本発明は前記課題を解決するため、内部に一対の貫通孔が設けられた内駒と、内部に一対の受け孔が設けられ、かつ前記内駒の両側にそれぞれ配置される外駒と、前記内駒の前記貫通孔を通して前記外駒の前記受け孔に挿入される連結軸とを備え、前記内駒の前記各貫通孔に、隣接する前記外駒の前記受け孔の一方をそれぞれ合わせた状態で前記連結軸を挿入することにより、複数の前記内駒と複数の前記外駒とを連結してなるバンドにおいて、前記貫通孔の一方とこの貫通孔に対応する前記受け孔とを非円形状に形成し、これらの非円形状の貫通孔と受け孔とに挿入される前記連結軸を断面非円形状に形成し、前記各外駒における他の外駒との対向側部に、開口が水平方向を向き、かつ前記非円形状の受け孔に達する長孔を設け、この長孔に係止ピンを嵌入して、前記断面非円形状の連結軸を係止したことを特徴とする。【００１１】  また、本発明は、前記貫通孔の他方とこの貫通孔に対応する前記受け孔とを円形状に形成し、これらの円形状の貫通孔と受け孔とに挿入される前記連結軸を断面円形状に形成したことを特徴とする【００１２】  また、本発明は、前記断面非円形状の連結軸を複数部品で１本として形成したことを特徴とする。
【発明の効果】
【００１３】  本発明によれば、内駒の貫通孔と外駒の受け孔と連結軸とを非円形状としたため、内駒と外駒が回転しない一体的な駒の形態となり、隣り合う駒を組み付ければ、連結軸を止める係止ピンの端部が隣り合う外駒の対向側部に位置することになり、係止ピンの端部が外部に露出しない。【００１４】  このように連結軸を止める係止ピンの端面を、駒の外周から見えないようにすることができるため、従来に比して簡単かつ容易に、しかもコスト高にならずに、外観性を向上させることが可能になる。【００１５】  さらに、連結軸を止める係止ピンの端部が、隣り合う外駒の対向側部に規制されて、外部へ脱落することがない。【００１６】  また、本発明を、連結軸の端部を外部に露出させないセラミック材などの無垢材からなる駒に実施することにより、連結軸及びその係止ピンなどの連結部材の端部を外部に露出させないようにすることが可能になる。
【図面の簡単な説明】
【００１７】
【図１】本発明の実施形態１であるバンドの一部を示す分解斜視図である。
【図２】実施形態１の組立状態を示す斜視図である。
【図３】実施形態１において端の駒を下方に回転して示す外観斜視図である。
【図４】実施形態１において端の駒を上方に回転して示す外観斜視図である。
【図５】本発明の実施形態２であるバンドの一部を示す分解斜視図である。
【発明を実施するための形態】
【００１８】  以下、本発明の実施の形態を図面に基づいて説明する。
【００１９】  図１〜図４において、１は内駒、２は内駒１の両側にそれぞれ配設される外駒であり、３，４は各内駒１の側面から貫通するように設けられた一対の貫通孔であって、一方の貫通孔３は非円形状であり（図では矩形状のものを示したが、楕円形状，三角形状，五角形状などでもよい）、他方の貫通孔４は円形状にしてある。
【００２０】  ５，６は各外駒２に外側面には貫通しないように設けられた一対の受け孔であって、一方の受け孔５は非円形状であり（図では矩形状のものを示したが、楕円形状，三角形状，五角形状などでもよい）、他方の受け孔６は円形状にしてある。
【００２１】  ７は両端部に小孔７ａが穿設された断面非円形状（図では平板状のものを示している）の連結軸、８は小孔７ａに嵌入される係止ピンであり、９は、外駒２の平らな方向（バンド組立完成時の長手方向）に対して平行で、かつ開口が隣り合う外駒２の外側部に位置するように形成され、さらに外駒２の非円形状の受け孔５を横切るように貫通する長孔である。１０は断面円形状の連結軸である。
【００２２】  内駒１は、セラミック材などから一体成型されたものであり、外形が略半円形状をしている。外駒２もセラミック材などから一体成型されたものである。
【００２３】  次に、本実施形態のバンドの組み立てについて説明する。
図２に示すように、内駒１の非円形状の貫通孔３に平板状の連結軸７を挿入し、円形状の貫通孔４に断面円形状の連結軸１０を挿入する。そして、平板状の連結軸７の両側の小孔７ａ部分を、両側に配されている外駒２の非円形状の受け孔５に挿入し、断面円形状の連結軸１０の端部を外駒２の円形状の受け孔６に挿入する。その後、外駒２の露出側面に開口している長孔９から、係止ピン８を外駒２内へ嵌入していく。
【００２４】  上記のように、係止ピン８を長孔９の開口から外駒２にそれぞれ嵌入すると、各係止ピン８の端部は、平板状の連結軸７両端に形成されている小孔７ａに嵌着する。この状態で内駒１と外駒２とが連結軸７，１０及び係止ピン８によって互いに連結されることになる。図３，図４が組立完了状態である。
【００２５】  図３，図４に示す組立完了状態において、それぞれ非円形状をなす内駒１の貫通孔３と外駒２の受け孔５と連結軸７とは互いに回動できないため、内駒１と外駒２は回動しない一体的な駒の形態となる。また断面円形状の連結軸１０が挿入された部位においては、外駒２は内駒１に対して回動する。
【００２６】  このため、係止ピン８の端部は隣り合う外駒２の対向側部に固定的に位置することになり、図３，図４に示すように、バンド全体を上下いずれの方向へ曲げても、係止ピン８の端部は外部に露出せず、外部から見えない。
【００２７】  さらに、係止ピン８の端部が、隣り合う外駒２の対向側部において抜けを規制されることになるため、係止ピン８は外部へ脱落することがない。
【００２８】  なお、平板状の連結軸７については、図５に示すように、複数部品７−１で１本となるように形成（図には２本の例を示す）することも考えられる。
【００２９】  なお、前記実施形態にて説明した内駒１，外駒２の形状、係止ピン８などの形状などは、バンドの仕様などによって適宜変更されるため、図示したものに限定されない。
【産業上の利用可能性】
【００３０】  本発明は、時計バンドあるいは各種バンド類において、連結ピンなどが外部に現われない外観に優れたバンドとして有効である。特に、セラミックなどの一体成型される無垢状の駒を用いるバンドに適用される。
【符号の説明】
【００３１】１  内駒
２  外駒
３  非円形状の貫通孔
４  円形状の貫通孔
５  非円形状の受け孔
６  円形状の受け孔
７，７−１  平板状（断面非円形状）の連結軸
７ａ  小孔
８  係止ピン
９  長孔
１０  断面円形状の連結軸
【図１】
2015029888.tif 000003
【図２】
2015029888.tif 000004
【図３】
2015029888.tif 000005
【図４】
2015029888.tif 000006
【図５】
2015029888.tif 000007